(57)【特許請求の範囲】
【請求項１】
ガラス板又は鏡板と、アルミ枠と、防塵パッキングを有する家具用扉であって、
上記アルミ枠は、断面形状が略矩形状に形成された枠基部と、該枠基部の前面外縁側から前方に延設され上記ガラス板または鏡板の外縁部が嵌合保持される保持辺部と、上記枠基部の内周面側から枠内方向に延設された内側辺部と、を有して構成され、
上記防塵パッキングは、上記枠基部の内周面と内側辺部とで形成される断面略凹状の凹状空隙部に挿入係止可能な係止辺部と、突辺部を有する基部からなり、
上記枠基部とガラス板又は鏡板との間に形成される空隙部を、上記凹状空隙部に装着された防塵パッキングの突辺部がガラス板又は鏡板により押圧されることにより閉塞するように構成されていることを特徴とする家具用扉。
【請求項２】
前記凹状空隙部に挿入係止可能な係止辺部は、断面形状を略楔状に形成して、該係止辺部と前記基部とで略Ｔ字状に構成し、該基部の前面側に円弧状の突辺部を形成すると共に、上記基部の後面側両端部からは、前記内側辺部の先端部と枠基部の係止部に弾接する調整代辺部を延設して形成したことを特徴とする請求項１に記載の家具用扉。
【請求項３】
前記凹状空隙部に挿入係止可能な係止辺部は、断面形状が略逆Ｕ字状に形成されていることを特徴とする請求項１に記載の家具用扉。
【発明の詳細な説明】
【０００１】
【発明の属する技術分野】
この発明は、家具のガラス扉や姿見の枠材として用いられているアルミ枠の内周面側に形成された断面略凹状の空隙部に防塵パッキングを装着してなる家具用扉に関する。
【０００２】
【従来の技術】
家具のガラス扉や姿見の枠材として用いられているアルミ枠の構成を姿見またはミラー扉を例に説明すると、図８と図９に示すように、該アルミ枠Ｗは、縦フレームＷＡと横フレームＷＢとで額縁状に組構されており、これら各フレームＷＡ，ＷＢは、断面形状が略矩形状に形成された枠基部１Ａ，１Ｂと、該枠基部１Ａ，１Ｂの前面外縁側から前方に延設され鏡板２の外縁部が嵌合保持される保持辺部３Ａ，３Ｂと、上記枠基部１Ａ，１Ｂの内周面側から枠内方向に延設された内側辺部４Ａ，４Ｂと、から構成されており、上記枠基部１Ａ，１Ｂの内周面５Ａ，５Ｂと内側辺部４Ａ，４Ｂとで断面略凹状の空隙部６Ａ，６Ｂが形成されていると共に、上記内側辺部４Ａ，４Ｂの先端部４ａ，４ｂを枠基部１Ａ，１Ｂの前後幅寸法よりも短く形成して段部７Ａ，７Ｂを形成し、該段部７Ａ，７Ｂには、化粧板等で形成された裏板８の外周縁部が当接保持されるように構成されている。
【０００３】
【発明が解決しようとする課題】
ところで、上記従来のアルミ枠Ｗにあっては、姿見やミラー扉のように裏板８を取り付けた場合には、上記枠基部１Ａ，１Ｂと鏡板２との間の空隙部Ｓに塵埃が入りにくく、入っても見にくいが、裏板８を配設しないタイプのガラス扉の場合には、上記空隙部Ｓに塵埃が入り込み易く、また、この空隙部Ｓに堆積された塵埃がガラス板を通して透けて見えてしまうため、外観を損ねることから、従来では、例えば、アルミ枠と同じ色彩で形成し、或は、木目等の任意の色彩・模様が印刷されたカバーフィルム１５を貼着して空隙部Ｓを充填して塵埃が堆積しないように構成したものが公知であるが、このようなカバーフィルム１５を用いる場合には、その貼着作業が煩雑である、という課題を有していた。
【０００４】
この発明は、かかる現状に鑑み創案されたものであって、その目的とするところは、上記従来のアルミ枠でガラス扉を形成しても、上記空隙部に塵埃が入り込む心配がなく、しかも、パッキングを任意の色素で着色することで、従来のカバーフィルムを用いることなく簡単にガラス扉に任意のアクセントを付与することもできる家具用扉を提供しようとするものである。
【０００５】
【課題を解決するための手段】
上記目的を達成するため、この発明にあっては、ガラス板又は鏡板と、アルミ枠と、防塵パッキングを有する家具用扉であって、上記アルミ枠は、断面形状が略矩形状に形成された枠基部と、該枠基部の前面外縁側から前方に延設され上記ガラス板または鏡板の外縁部が嵌合保持される保持辺部と、上記枠基部の内周面側から枠内方向に延設された内側辺部と、を有して構成され、上記防塵パッキングは、上記枠基部の内周面と内側辺部とで形成される断面略凹状の凹状空隙部に挿入係止可能な係止辺部と、突辺部を有する基部からなり、上記枠基部とガラス板又は鏡板との間に形成される空隙部を、上記凹状空隙部に装着された防塵パッキングの突辺部がガラス板又は鏡板により押圧されることにより閉塞するように構成されていることを特徴とするものである。
【０００６】
この発明において、上記凹状空隙部に挿入係止可能な係止辺部は、具体的には、断面形状を略楔状に形成して、該係止辺部と前記基部とで略Ｔ字状に構成し、該基部の前面側に円弧状の突辺部を形成すると共に、上記基部の後面側両端部からは、前記内側辺部の先端部と枠基部の係止部に弾接する調整代辺部を延設して形成することで、防塵パッキングのガラス板への当たり面積を小さくし、また、上記段部の成形誤差を調整することができるように構成したことを特徴とするものである。
【０００７】
また、この発明において、上記凹状空隙部に挿入係止可能な係止辺部の他の構成例としては、断面形状を略逆Ｕ字状に形成したことを特徴とするものである。
【０００８】
【発明の実施の形態】
以下、添付図面に示す実施の形態例に基づきこの発明を詳細に説明する。
【０００９】
図１乃至図３は、この発明の第１形態例に係るアルミ枠用防塵パッキングＰＡが適用されるガラス扉Ｇの縦フレームＷＡと横フレームＷＢを示しており、これら縦フレームＷＡと横フレームＷＢは、断面形状が略矩形状に形成された枠基部１Ａ，１Ｂと、該枠基部１Ａ，１Ｂの前面外縁側から前方に延設されガラス板１４の外縁部が嵌合保持される保持辺部３Ａ，３Ｂと、上記枠基部１Ａ，１Ｂの内周面側から枠内方向に延設された内側辺部４Ａ，４Ｂと、を有して構成され、上記枠基部１Ａ，１Ｂの内周面５Ａ，５Ｂと内側辺部４Ａ，４Ｂとで断面略凹状の凹状空隙部６Ａ，６Ｂが形成され、かつ、上記内側辺部４Ａ，４Ｂの先端部４ａ，４ｂを枠基部１Ａ，１Ｂの前後幅寸法よりも短く形成された段部７Ａ，７Ｂが形成されて構成されている。尚、図中符号１６，１６は、上記枠基部１Ａ，１Ｂの内側に形成されたビス等の止着具Ｂが螺装される止着具孔部である。
【００１０】
このように構成されてなるアルミ枠の上記凹状空隙部６Ａ，６Ｂに嵌装される本形態例に係る防塵パッキングＰＡは、任意の色素で彩色された軟質の合成樹脂または発泡ゴムで一体形成されており、図４に示すように、上記凹状空隙部６Ａ，６Ｂに挿入され上記内側辺部４Ａ，４Ｂの先端部４ａ，４ｂと枠基部１Ａ，１Ｂの内周面５Ａ，５Ｂに夫々形成された係止部９ａ，９ｂに係合可能な断面形状が楔状の係止辺部１０と、該係止辺部１０の基部側に一体形成された基部１１と、で略Ｔ字状に構成されている。
【００１１】
そして、上記基部１１は、上記段部７Ａ，７Ｂと略同一の前後幅寸法を有して形成されていると共に、上記基部１１の前面側には円弧状の突辺部１２が形成され、かつ、上記基部１１の後面側両端部からは、上記内側辺部４Ａ，４Ｂの先端部４ａ，４ｂと枠基部１Ａ，１Ｂの係止部９ａ，９ｂに弾接する調整代辺部１３，１３が夫々延設されて形成されている。
【００１２】
このように構成されてなる防塵パッキングＰＡを、縦フレームＷＡと横フレームＷＢの上記凹状空隙部６Ａ，６Ｂに嵌装する場合には、ガラス板１４を取り付ける前に、上記楔状の係止辺部１０を上記凹状空隙部６Ａ，６Ｂ内に挿入し、基部１１を手前側から奥行側に押圧すると、上記係止辺部１０が上記内側辺部４Ａ，４Ｂの先端部４ａ，４ｂと枠基部１Ａ，１Ｂの係止部９ａ，９ｂに係止される。このとき、上記基部１１の後面側両端部には調整代辺部１３，１３が延設されているので、上記枠基部１Ａ，１Ｂの内側に形成された段部７Ａ，７Ｂの深さに応じて変形すると共に、該防塵パッキングＰＡを装着後にガラス板１４を取り付けた場合には、上記基部１１の突辺部１２がガラス板１４で押圧されるので、前記空隙部Ｓ（図８参照）を確実に閉塞することができる。
【００１３】
それ故、この形態例に係る防塵パッキングＰＡにあっては、従来のアルミ枠ＷＡ，ＷＢでガラス扉Ｇを形成しても、前記空隙部Ｓ（図１，図２及び図５，図６参照）に塵埃が入り込む心配がなく、また、防塵パッキングＰＡを任意の色素で着色することで、ガラス扉Ｇに任意のアクセントを付与することもできる。
【００１４】
図５乃至図７は、この発明の第２形態例に係る防塵パッキングＰＢを示しており、該防塵パッキングＰＢは、前記凹状空隙部６Ａ，６Ｂに嵌挿される係止辺部２３，２３を、前記第１形態例に係る略楔状の係止辺部１０とは異なり、断面形状が略逆Ｕ字状に形成し、各係止辺部２３，２３の幅寸法を、上記凹状空隙部６Ａ，６Ｂの幅寸法よりも若干大きく形成し、上記各係止辺部２３，２３間に形成された溝部２４を介して幅方向に縮むように構成することで、該係止辺部２３，２３を上記凹状空隙部６Ａ，６Ｂ内に密に圧入することができるように構成すると共に、該係止辺部２３，２３の上部には基部２１を連設し、かつ、該基部２１の前面側には円弧状の突辺部２２を膨出形成することで本体２０の形状が略逆凸状となるように構成されている。
【００１５】
次に、このように構成されてなる防塵パッキングＰＢの取り付け手順を説明する。尚、本形態例に係る防塵パッキングＰＢが装着されるアルミ枠の縦フレームＷＡと横フレームＷＢの構成は、前記第１形態例と同様に構成されているので、図５と図６には第１形態例で用いた符号と同一の符号を付して、その詳細な説明をここでは省略する。
【００１６】
即ち、上記構成からなる防塵パッキングＰＢを、縦フレームＷＡと横フレームＷＢの上記凹状空隙部６Ａ，６Ｂに嵌装する場合には、ガラス板１４を取り付ける前に、上記逆Ｕ字状の係止辺部２３，２３を幅方向に縮めて上記凹状空隙部６Ａ，６Ｂ内に挿入し、基部２１を手前側から奥行側に押圧して、上記係止辺部２３，２３を上記内側辺部４Ａ，４Ｂの内面と枠基部１Ａ，１Ｂの内面に密着係止する。そして、上記防塵パッキングＰＢを装着後にガラス板１４を取り付けた場合には、上記基部２１の突辺部２２がガラス板１４で押圧されるので、前記空隙部Ｓを確実に閉塞することができる。
【００１７】
尚、上記各形態例に係る防塵パッキングＰＡ，ＰＢを上記凹状空隙部６Ａ，６Ｂに嵌装しない場合には、従来の姿見やミラー扉の裏板を取り付けることができることは勿論である。
【００１８】
【発明の効果】
以上説明したように、請求項１に記載の発明にあっては、従来のアルミ枠でガラス扉を形成しても、上記空隙部に塵埃が入り込む心配がなく、しかも、防塵パッキングが突辺部を有するので、ガラス板又は鏡板への当たり面積を小さくすることができ、家具用扉として見栄えがよく、さらには、上記空隙部の開口がガラス板を通しても見えず、また、パッキングを任意の色素で着色することで、ガラス扉に任意のアクセントを付与することもできる。
【００１９】
また、請求項２及び請求項３に記載の発明にあっては、上記凹状空隙部を上記防塵パッキングで確実に閉塞することができることは勿論、空隙部とガラス板裏面との間を確実にシールすることができ、扉内部の塵埃の侵入をより確実に阻止することができ、しかも、構成が簡単なので安価に製造することができる等、幾多の優れた効果を奏する。
【図面の簡単な説明】
【図１】  この発明の実施の第１形態例に係る防塵パッキングが装着されたアルミ枠で形成されたガラス扉のコーナー部を示す説明図である。
【図２】  同ガラス扉の縦フレーム部の断面図である。
【図３】  同ガラス扉の横フレーム部の断面図である。
【図４】  同ガラス扉に装着されるアルミ枠用防塵パッキングの断面図である。
【図５】  この発明の実施の第２形態例に係る防塵パッキングが装着されたガラス扉の縦フレーム部の断面図である。
【図６】  同ガラス扉の横フレーム部の断面図である。
【図７】  同ガラス扉に装着されるアルミ枠用防塵パッキングの断面図である。
【図８】  従来の姿見またはミラー扉を構成する縦フレーム部の断面図である。
【図９】  従来の姿見またはミラー扉を構成する横フレーム部の断面図である。
【符号の説明】
Ｇ  ガラス扉
ＰＡ，ＰＢ  防塵パッキング
Ｓ  空隙部
ＷＡ  縦フレーム
ＷＢ  横フレーム
１Ａ，１Ｂ  枠基部
３Ａ，３Ｂ  保持辺部
４Ａ，４Ｂ  内側辺部
４ａ，４ｂ  内側辺部の先端部
５Ａ，５Ｂ  枠基部の内周面
６Ａ，６Ｂ  凹状空隙部
７Ａ，７Ｂ  段部
９ａ，９ｂ  枠基部の係止部
１０，２３  係止辺部
１１，２１  基部
１２，２２  突辺部
１３  調整代辺部
２４  溝
【図１】
0004090627.tif 000002
【図２】
0004090627.tif 000003
【図３】
0004090627.tif 000004
【図４】
0004090627.tif 000005
【図５】
0004090627.tif 000006
【図６】
0004090627.tif 000007
【図７】
0004090627.tif 000008
【図８】
0004090627.tif 000009
【図９】
0004090627.tif 000010